【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
ガイドレールに沿って移動するエレベータかごと、ガイドレールに沿って移動する釣合い重りと、これらを駆動するエレベータモータとを少なくとも含む、望ましくは機械室のないエレベータにおいて、ガイドレールのうち少なくとも一方はガイド固定用ブラケットによって定位置に固定され、該ブラケットの幅は、かごガイドレールの付近では、該かごガイドレールの幅に前記ガイド固定用ブラケットのレールクリップの厚さを加えたものと実質的に等しいことを特徴とするエレベータ。
【請求項２】
請求項１に記載のエレベータにおいて、釣合い重りガイドレールは、ガイド固定用ブラケットによって定位置に固定されていることを特徴とするエレベータ。
【請求項３】
請求項１または２に記載のエレベータにおいて、前記かごガイドレールおよび釣合い重りガイドレールは、前記ガイド固定用ブラケットによって位置決めされていることを特徴とするエレベータ。
【請求項４】
本体部分と、複数のレールクリップと、複数の締付部品とを少なくとも含むガイド固定用ブラケットにおいて、ガイドレールのうち少なくとも一方は、前記ガイド固定用ブラケットによって定位置に固定され、該ブラケットの幅は、かごガイドレールの付近では、該かごガイドレールの幅に前記ガイド固定用ブラケットのレールクリップの厚さを加えたものと実質的に等しいことを特徴とするガイド固定用ブラケット。
【請求項５】
請求項４に記載のガイド固定用ブラケットにおいて、１つのガイド固定用ブラケットが、１つ以上のガイドレール、望ましくはかごガイドレールおよび釣合い重りガイドレールを固定する役割を果たすことを特徴とするガイド固定用ブラケット。
【請求項６】
請求項４または５に記載のガイド固定用ブラケットにおいて、該ガイド固定用ブラケットは、少なくとも１つの締付部品、望ましくはボルトを有し、これによって、前記レールクリップを固定締付し少なくとも１つのガイドレールを定位置に保持し、前記ガイド固定用ブラケットは、固定される１つのガイドレールに対して締付部品を１つしか有していないことを特徴とするガイド固定用ブラケット。
【請求項７】
請求項４ないし６のいずれかに記載のガイド固定用ブラケットにおいて、該ガイド固定用ブラケットは、少なくとも２つのガイドレール、望ましくはかごガイドレールおよび釣合い重りガイドレールを固定するのに用いられることを特徴とするガイド固定用ブラケット。
【請求項８】
請求項４ないし７のいずれかに記載のガイド固定用ブラケットにおいて、該ガイド固定用ブラケットの少なくとも本体部分は、目的に適した軽量材料、望ましくはアルミニウムで作られていることを特徴とするガイド固定用ブラケット。
【請求項９】
請求項４ないし８のいずれかに記載のガイド固定用ブラケットにおいて、該ガイド固定用ブラケットの各部品は、目的に適した軽量の材料、望ましくはアルミニウムで作られていることを特徴とするガイド固定用ブラケット。
【請求項１０】
請求項４ないし９のいずれかに記載のガイド固定用ブラケットにおいて、該ガイド固定用ブラケットは少なくとも１つの支持板を有し、該支持板にはガイドレール用の取付場所が設けられ、該取付場所は本体部分に適合していることを特徴とするガイド固定用ブラケット。
【請求項１１】
請求項４ないし10のいずれかに記載のガイド固定用ブラケットにおいて、該ガイド固定用ブラケットは、少なくとも２つのガイドレール用の１つの取付場所を有することを特徴とするガイド固定用ブラケット。
【手続補正２】
【補正対象書類名】明細書
【補正対象項目名】００１１
【補正方法】変更
【補正の内容】
【００１１】
図２は、本発明によるガイド固定用ブラケットと、これに取り付けたガイドレールを示す図である。Ｔ型の断面を有するエレベータかごガイドレール１と、釣合い重りガイドレール２とは、ガイド固定用ブラケットの本体部分３へ複数のレールクリップによって固定されていて、そのうちレールクリップ４だけを図２に示す。かごガイドレール１に沿って移動するエレベータかごのスライディングガイド９は、エレベータかごから独立した構成部品として図示しているが、実際にはそれはエレベータかごおよび／またはエレベータかごのフレームの一部として固定部品10により取り付けられている。釣合い重りガイドレール２は、同図ではＴ型の断面を有する中空のガイドレールとして示しているが、本発明による一実施例として、他のタイプのガイドレールを用いてもよく、例えば釣合い重りおよびエレベータかごの両方に、同一タイプのガイドレールを用いてよい。スライディングガイド11は、上記と同様に、釣合い重りから独立した部品として同図に示すが、実際には釣合い重りおよび／または釣合い重りフレームの一部として固定部品12によって取り付けられている。いかなるタイプのガイドを用いてエレベータかごおよび釣合い重りをガイドレール１および２に沿った経路へ案内するかは、本発明にとって重要なことではない。用いるガイドレールは、例えばスライディングガイドもしくはローラガイドで構成してよい。本体部分３は、同図ではかごガイドレール１および釣合い重りガイドレール２の両方を固定する固定部品としての役割を果たすが、調整穴14が設けられていて、これによってガイドレールの位置の調節が可能である。これらの調整穴14を利用すれば、ガイドレールの位置を例えばねじ回しによって調節可能である。ブラケットは締付用部品13によって定位置に締め付けられている。本体部分３の形と、調節穴と、その中に設けられている締付穴とによれば、ガイドレールの位置決めは容易で正確に行なうことができる。なぜなら、ほんのわずかの部品しか要せずにガイドレールの調節および位置決めができるからである。本体部分３は、例えばエレベータシャフト壁面などの定位置へ、固定部品15、16によって固定される。それらの形と定位置への取付は本発明にとっては重要なことではなく、公知の方法で固定されている。
【手続補正３】
【補正対象書類名】明細書
【補正対象項目名】００１２
【補正方法】変更
【補正の内容】
【００１２】
図３は、２つのガイドレールを本発明によるガイド固定用ブラケットによって固定する上記と同一の構造を示す。同図では、ガイド固定用ブラケットの本体部分は図５に示す平面Ｘ−Ｘに沿って切断したものである。これと同様に、図３のかごガイドレール１、釣合い重りガイドレール２、および固定部品15は、斜めに切断したものであり、これによって、ガイドレール１および２がどのように本体部分３へ固定されているかが分かる。図３の実施例では、２つのガイドレール、すなわちかごガイドレール１および釣合い重りガイドレール２は、本発明によるガイド固定用ブラケットによって定位置に取り付けられている。かごガイドレール１は本体部分へ、レールクリップ４および５によって固定されていて、釣合い重りガイドレール２は本体部分３へ、レールクリップ５および６によって固定されている。したがって、同一のレールクリップ５がかごガイドレール１および釣合い重りガイドレール２の両方を定位置に固定する役目を果たしている。すなわち、これらのレールは共通のレールクリップを有する。レールクリップ４および５は本体部分３における定位置に、望ましくはボルトもしくはそれと同等の締付手段である締付部品７によって締め付けられている。このように、かごガイドレール１と、釣合い重りガイドレール２の片側とが、本体部分における定位置に締め付けられている。釣合い重りガイドレール２の他方の側は本体部分３における定位置に、レールクリップ６および締付部品８によって締め付けられている。本体部分３はエレベータシャフト内の定位置に、固定部品15および16によって取り付けられている。本体部分３は、それら固定部品15および16の定位置に適正な姿勢で、しかもエレベータシャフト壁から所望の間隔をおいて、調節穴14および締付用部品13によって取り付けられている。上記固定部品は締付部品17によって互いに取り付け合わされている。上述の方式では、２つのレールを固定するために、望ましくはボルトなどの２つの締付部品しか必要としない。本発明によるガイド固定用ブラケットを用いれば、ガイドレールを本体に固定するために、ガイドレールの数だけしかボルトを必要としない。あるいは、少なくともガイドレールを２つだけ固定する必要がある場合には、更に少なくて済む。従来技術の方式では、ガイドレール毎に２つのボルトが必要であった。しかし本体部分の形作りおよびレールクリップによって、必要な締付部品の数量を従来の方式に比べて少なくすることができ、ガイドレールの固定に必要な部品数も減らすことができる。
【手続補正４】
【補正対象書類名】明細書
【補正対象項目名】００１５
【補正方法】変更
【補正の内容】
【００１５】
図５は、本発明によるガイド固定用ブラケットの本体部分３を示す。本体部分の表面51は、例えば上述の実施例におけるかごガイドレールなどのガイドレールに当接している。このガイドレールは、本体部分３に設けられた取付部品53によって適正な位置に取り付けられていて、本体部分３は２つの取付部品53の間に容易に位置決め可能である。これらの取付部品53は、レールクリップを定位置に取り付けてガイド固定用ブラケットの例えば本体部分の表面54および55に対してガイドレールを固定する場合、それを補助する役割を果たす。これら取付部品53のうち本体部品を超える部分の厚さは、レールクリップの厚さと等しくし、あるいは望ましくはそれ以下とする。本体部分３は必ずしも取付部品53を必要としない。本体部分の溝部57は締付部品用のものであり、この溝部57によって、例えばかごガイドレールおよび釣合い重りガイドレールがガイド固定用ブラケットへ固定され、定位置に締め付けられる。前出の図、例えば図３に示す締付用部品７はこの溝部57にはめ込まれる。かごガイドレール、および、釣合い重りガイドレールの一方の側は、１つの固定部品７によって定位置に固定可能である。例えば図３に示す釣合い重りガイドレール２などの他のガイドレールは、表面52に取り付けて固定することが可能である。本体部分３にも調節穴514が設けられていて、これらによりガイドレールを容易で正確に位置決め可能である。また穴513が設けられ、これらによって本体部分３を固定部品へ固定する。
【手続補正５】
【補正対象書類名】明細書
【補正対象項目名】００１６
【補正方法】変更
【補正の内容】
【００１６】
図６は、本発明による第２のガイド固定用ブラケットを示す。図６のガイド固定用ブラケットにおいて本体部分63は支持板617に取り付けられている。この支持板617はガイドレール61および62用の取付溝を有し、それらによってガイドレール61および62を定位置に位置決めされる。支持板617は、望ましくはボルトなどの固定部品を穴617に入れることによって、本体部分63の定位置に取り付けることができる。支持板617を用いれば、エレベータシャフト内に様々なレールの組み合わせを水平配置することが可能であり、エレベータ安全装置が把持を行なう場合やかごの負荷中に発生する水平力を、本体部分63を介して壁構体へ伝達可能である。ガイド固定用ブラケットは壁構体の定位置に公知の方法で取り付けられている。本体部分63および支持板617の幅は、かごガイドレール61の付近では、かごガイドレールの幅に、ガイド固定用ブラケットの支持板に設けられたかごガイドレール取付溝を超えて延びる表面（注：前図に示す取付部品53）の幅を加えたものに実質的に等しい。本図では、ガイドレール61、62は、レールクリップ64、66と、図６には図示しない第３のレールクリップとによって定位置に固定されている。同図のレールクリップ64は同図中には図示していないレールクリップと同じ形を有し、ガイドレール61とガイドレール62との間に配されていて、両ガイドレールを定位置に固定する役割を果たしている。したがって、図６に示す場合では、ガイドレール61、62を定位置に固定するために、３つのレールクリップおよび２つの締付部品しか必要としない。同図では、これらの締付部品のうち一方67だけを示し、他方はその場所619だけを示す。ガイドレールのエレベータシャフト内での位置決めは調節穴614によって調整可能である。ガイド固定用ブラケットの本体部分は、ガイドレール61および62に対して水平面63aおよび63bを有する。
【手続補正６】
【補正対象書類名】明細書
【補正対象項目名】００１７
【補正方法】変更
【補正の内容】
【００１７】
図７は、図６のガイド固定用ブラケットを下方から斜めに見た図を示す。図７では、支持板717は、ガイドレール71および72に適合した望ましくは溝などの空間を有し、これらによってガイドレールはガイド固定用ブラケットへ適切に配置される。この支持板は本体部分73へ同支持板を固定するための複数の場所720を有している。ガイドレール71および72は本体部分73へ固定されていて、この固定は、レールクリップ74、76と、図示しない第３のレールクリップとによって行なわれている。第３のレールクリップは、ガイドレール71およびガイドレール72の両方を定位置に保持する。締付部品77によって、レールクリップ74および上述の図示しないレールクリップは、定位置に締め付けられる。